(57)【要約】      （修正有）【課題】街路や広場等の景観の向上及び火災時等の防災対策に寄与する、自動潅水式立体的植栽システムを提供する。【解決手段】架台と、架台上部に設置された有底筒状の貯水タンクと、貯水タンクの周囲を覆うように設けられた支持フレームと、支持フレームに取り付けられた植栽パネル４と、植栽パネル４に取り付けられた複数の植栽ポット５と、貯水タンクから延出した導水管と、植栽ポット５の上方付近の位置を通過する部位に設けられたノズルと、バッテリと接続されたコントローラとを備えた自動潅水式立体的植栽システム。【選択図】図１
2018148840.tif 000002
【特許請求の範囲】
【請求項１】
架台（１）と、前記架台（１）上部に設置された有底筒状の貯水タンク（２）と、前記貯水タンク（２）の周囲を覆うように設けられた支持フレーム（３）と、前記支持フレーム（３）に取り付けられた植栽パネル（４）と、前記植栽パネル（４）に取り付けられた複数の植栽ポット（５）と、前記貯水タンク（２）内に設置された水中ポンプ（６）と、前記貯水タンク（２）内から延出して前記各植栽ポット（５）の上方付近の位置を通過するように設けられた導水管（７）と、前記導水管（７）の前記各植栽ポット（５）の上方付近の位置を通過する部位に設けられたノズル（８）と、ソーラーパネル（９）と、前記水中ポンプ（６）及び前記ソーラーパネル（９）に接続されたバッテリ（１０）と、前記水中ポンプ（６）及び前記バッテリ（１０）と接続されたコントローラ（１１）とを備えた自動潅水式立体的植栽システムであって、
前記貯水タンク（２）上部には円盤状の蓋（１２）が設けられており、
前記蓋（１２）は、その中心部に前記導水管（７）を挿通するための挿通口（１３）を備え、
前記支持フレーム（３）は、前記貯水タンク（２）の周囲を回動可能に設けられていることを特徴とする自動潅水式立体的植栽システム。
【請求項２】
前記ソーラーパネル（９）は、前記貯水タンク（２）の上方に設置されていることを特徴とする請求項１に記載の自動潅水式立体的植栽システム。
【請求項３】
前記支持フレーム（３）は、前記貯水タンク（２）の上方に延出する上部支持部材（１４）を備え、
前記上部支持部材（１４）にも植栽パネル（４’）が取り付けられていることを特徴とする請求項１又は２に記載の自動潅水式立体的植栽システム。
【請求項４】
前記支持フレーム（３）は、その上部及び下部にそれぞれ上部外側環状フレーム（１６）及び下部環状フレーム（１７）を備え、
前記上部支持部材（１４）は、平面視において環状に設けられており、前記上部外側環状フレーム（１６）及び下部環状フレーム（１７）の直径は、前記上部支持部材（１４）の直径よりも大きく設けられていることを特徴とする請求項３に記載の自動潅水式立体的植栽システム。
【請求項５】
前記バッテリ（１０）及び前記コントローラ（１１）は、前記架台（１）の内部に設置されていること特徴とする請求項１乃至４のいずれかに記載の自動潅水式立体的植栽システム。
【請求項６】
前記蓋（１２）は、所定の直径を軸に前記蓋（１２）の半円盤状の一方が開閉可能に設けられるとともに、
前記蓋（１２）の下面に、折り畳み式のバケツが取り付けられていることを特徴とする請求項１乃至５のいずれかに記載の自動潅水式立体的植栽システム。
【請求項７】
前記コントローラ（１１）は、４つのタイマーに基づいて制御を行うものであることを特徴とする請求項１乃至６のいずれかに記載の自動潅水式立体的植栽システム。
【請求項８】
前記植栽ポット（５）に植栽された植物の培地中の湿度を検出するための湿度センサーを備え、前記コントローラ（１１）は、前記湿度センサーで検出した培地中の湿度に基づいて制御を行うことを特徴とする請求項１乃至７のいずれかに記載の自動潅水式立体的植栽システム。
【発明の詳細な説明】
【技術分野】
【０００１】
本発明は、街路や広場等の景観の向上及び火災時等の防災対策に寄与する、自動潅水式立体的植栽システムに関する。
【背景技術】
【０００２】
従来より、市街地等の景観を向上させるために、街路等に花壇が設置されている。こうした花壇を街路等の何か所にも設置した場合には、これら花壇に植栽した植物に対する潅水に多大な労力を要していた。
【０００３】
そこで、こうした花壇に植栽された植物に対して自動的に潅水を行うべく、様々な潅水装置が開発されている。特に、電源や水源を確保することが困難な場所に設置する花壇を考慮して、太陽電池、貯水タンク及びポンプを利用した自動潅水装置も開発されている（例えば、特許文献１及び特許文献２）。
【０００４】
特許文献１は、毛細管式給水器を具えた貯水容器を具備した複数のコンテナーと、そのコンテナーを立体的に配置、支持する架台と、架台の下部に設けられる水槽と、水槽内に設けられる水中ポンプと太陽電池と、太陽電池の出力電力を蓄電し、予め定められたプログラムに従って水中ポンプを作動させる電源回路と、水中ポンプの揚水を、最高位置にあるコンテナー内の貯水容器に導く給水管と、高位置のコンテナー内の貯水容器の溢流水を順次低位置のコンテナー内の貯水容器に導く導水管と、最低位置のコンテナー内の貯水容器からの溢流水を水槽内に還流させる排水管と、から成る自動潅水装置を備えた立体花壇を開示している。
【０００５】
また、特許文献２は、パネル状の枠体と、該枠体の上部に設け太陽光を受光する太陽電池セルと、該太陽電池セルで発電した電力を蓄電するバッテリと、前記枠体の前面に配置した鉢植植物と、前記枠体の下部に設けた貯水タンクと、前記枠体の上部に設け、前記貯水タンクに雨水を導く雨受と、前記貯水タンクに貯水した水を前記鉢植植物に潅水する揚水ポンプとを備えた潅水機構付き移動垣根であって、前記バッテリに畜電した電力を用いて、前記貯水タンクの水を前記揚水ポンプにより前記鉢植植物に潅水することを特徴とする潅水機構付き移動垣根を開示している。
【０００６】
特許文献１及び特許文献２に開示される技術は、太陽電池、貯水タンク及びポンプを利用して、確かに電源や水源の確保が困難な場所においても自動潅水を行うことができるものであるが、いずれも所謂“壁面緑化”的で平面的であり、美観の面白さや美麗さに欠けるものであった。また、周辺の火災時等の災害対策といった公益的な考慮はなされていない。
【先行技術文献】
【特許文献】
【０００７】
【特許文献１】特開２００１−２４５５４１号公報
【０００８】
【特許文献２】特開２００７−７７７０６号公報
【発明の概要】
【発明が解決しようとする課題】
【０００９】
本発明は、街路や広場等の美観の向上及び火災時等の防災対策に寄与する、自動潅水式立体的植栽システムを提供することを目的とする。
【課題を解決するための手段】
【００１０】
本発明の第１の態様は、架台（１）と、前記架台（１）上部に設置された有底筒状の貯水タンク（２）と、前記貯水タンク（２）の周囲を覆うように設けられた支持フレーム（３）と、前記支持フレーム（３）に取り付けられた植栽パネル（４）と、前記植栽パネル（４）に取り付けられた複数の植栽ポット（５）と、前記貯水タンク（２）内に設置された水中ポンプ（６）と、前記貯水タンク（２）内から延出して前記各植栽ポット（５）の上方付近の位置を通過するように設けられた導水管（７）と、前記導水管（７）の前記各植栽ポット（５）の上方付近の位置を通過する部位に設けられたノズル（８）と、ソーラーパネル（９）と、前記水中ポンプ（６）及び前記ソーラーパネル（９）に接続されたバッテリ（１０）と、前記水中ポンプ（６）及び前記バッテリ（１０）と接続されたコントローラ（１１）とを備えた自動潅水式立体的植栽システムであって、前記貯水タンク（２）上部には円盤状の蓋（１２）が設けられており、前記蓋（１２）は、その中心部に前記導水管（７）を挿通するための挿通口（１３）を備え、前記支持フレーム（３）は、前記貯水タンク（２）の周囲を回動可能に設けられていることを特徴とする。
【００１１】
本発明の第２の態様は、前記ソーラーパネル（９）は、前記貯水タンク（２）の上方に設置されていることを特徴とする。
【００１２】
本発明の第３の態様は、前記支持フレーム（３）は、前記貯水タンク（２）の上方に延出する上部支持部材（１４）を備え、前記上部支持部材（１４）にも植栽パネル（４’）が取り付けられていることを特徴とする。
【００１３】
本発明の第４の態様は、前記支持フレーム（３）は、その上部及び下部にそれぞれ上部外側環状フレーム（１６）及び下部環状フレーム（１７）を備え、前記上部支持部材（１４）は、平面視において環状に設けられており、前記上部外側環状フレーム（１６）及び下部環状フレーム（１７）の直径は、前記上部支持部材（１４）の直径よりも大きく設けられていることを特徴とする。
【００１４】
本発明の第５の態様は、前記バッテリ（１０）及び前記コントローラ（１１）は、前記架台（１）の内部に設置されていること特徴とする。
【００１５】
本発明の第６の態様は、前記蓋（１２）は、所定の直径を軸に前記蓋（１２）の半円盤状の一方が開閉可能に設けられるとともに、前記蓋（１２）の下面に、折り畳み式のバケツが取り付けられていることを特徴とする。
【００１６】
本発明の第７の態様は、前記コントローラ（１１）は、４つのタイマーに基づいて制御を行うものであることを特徴とする。
【００１７】
本発明の第８の態様は、前記植栽ポット（５）に植栽された植物の培地中の湿度を検出するための湿度センサーを備え、前記コントローラ（１１）は、前記湿度センサーで検出した培地中の湿度に基づいて制御を行うことを特徴とする。
【発明の効果】
【００１８】
本発明の第１の態様によれば、筒状の貯水タンクの周囲を覆うように複数の植栽ポットを設けたことから、貯水タンクを隠しつつ、環状且つ立体的に植栽することができ、これを街路や広場に設置した場合には景観の向上を図ることができる。また、水中ポンプ、ソーラーパネル及びバッテリを備えたことから、自動潅水が可能となり、水やりの手間を省くことができる。さらに、貯水タンクの上部には容易に開閉可能な蓋を設けたことから、近隣で火災等が発生した場合には、貯水タンク内の水を初期消火用として用いることも可能である。さらに、支持フレームを貯水タンクの周囲を回動可能に設けたことから、支持フレームに取り付けられた植栽パネル及び植栽パネルに取り付けられた植栽ポットも貯水タンクの周囲を回動可能となり、方角による日当たりの良し悪しに影響されることなく、植栽ポットに植えられた植物を均等に生育させることが可能となる。
【００１９】
本発明の第２の態様によれば、ソーラーパネルを貯水タンクの上方に設置したことから、ソーラーパネルを設置する余計なスペースを利用することなく、且つ太陽光を良好に受光することができる。
【００２０】
本発明の第３の態様によれば、支持フレームに上部支持部材を設け、及び上部支持部材にも植栽パネルを取り付けたことから、貯水タンク上方にも植栽ポットを取り付けることが可能となり、貯水タンク上方付近に存在する貯水タンクの蓋、導水管等を覆い隠すことで、より美観の向上を図ることができる。
【００２１】
本発明の第４の態様によれば、支持フレームは、その上部及び下部にそれぞれ上部外側環状フレーム及び下部環状フレームを備え、上部外側環状フレーム及び下部環状フレームの直径を、上部支持部材の直径よりも大きく設けたことから、貯水タンクの外周面が部位によって曲率が異なる場合でも干渉することなく、支持フレーム及びこれに取り付けられた植栽パネルを貯水タンクの周囲を回動することが可能となる。  
【００２２】
本発明の第５の態様によれば、バッテリ及びコントローラを架台の内部に設置したことから、バッテリ及びコントローラを隠すことができ、美観の向上やこれらの盗難の防止に寄与する。
【００２３】
本発明の第６の態様によれば、貯水タンクの蓋の半分を開閉可能としたので貯水タンクを容易に開けることができ、近隣で生じた火災の初期消火に役立てることができる。さらに、蓋の下面には折り畳み式のバケツを取り付けたので、より一層消火作業を容易にすることができる。
【００２４】
本発明の第７の態様によれば、コントローラを４つの異なるタイマーで制御することとしたので、春夏秋冬といった四季に合わせた制御が可能となり、植栽ポットに植えられた植物の適切な管理が可能となる。
【００２５】
本発明の第８の態様によれば、植栽ポット内の培地の湿度に基づいてコントローラの制御を行うこととしたので、植栽ポットに植栽された植物のきめ細やかな管理が可能となる。  
【図面の簡単な説明】
【００２６】
【図１】本発明の自動潅水式立体的植栽システムの斜視図である。
【図２】本発明の貯水タンクを示す図である。
【図３】本発明の支持フレーム及び上部支持部材の平面図である。
【図４】本発明の支持フレーム及び上部支持部材の正面図である。
【図５】本発明の支持フレーム及び植栽パネルの部分拡大図である。
【図６】本発明の導水管の構造を示す部分拡大図である。
【図７】本発明のソーラーパネル取付フレーム及びソーラーパネル取付金具を示す図である。
【図８】本発明の第一実施形態のコントローラの正面図である。
【図９】本発明の第一実施形態のコントローラ等の回路図である。
【図１０】本発明の第二実施形態のコントローラの正面図である。
【図１１】本発明の第二実施形態のコントローラ等の回路図である。
【発明を実施するための形態】
【００２７】
以下、図面を参照しながら本発明を実施するための形態について説明する。
【００２８】
本発明の架台１は、その上部に貯水タンク２等が設置されることから、一定の強度を備えるものであるが、材質や形状等は特に限定されるものではない。架台１の形状については、図１では角柱状のものを示しているが、貯水タンク２が筒状であることから、これに合わせて円柱状とすることが美観上望ましい。また、円柱状の形状は、角柱状の場合のように角部分が存在しないため、安全面でも望ましい形状である。
【００２９】
架台１は、好ましくは、中空であり、内部にバッテリ１０及びコントローラ１１を収容することが望ましい。架台１内部にバッテリ１０及びコントローラ１１を設置しておけば、バッテリ１０及びコントローラ１１を隠すことができ美観を向上させることができ、またこれらの器具の盗難を防止することもできる。さらに、架台１の内部には、糸鋸、取水継手、ホース等を収容しておくことがさらに望ましい。災害時には、本発明の自動潅水式立体的植栽システムを雨樋の近辺に設置し、糸鋸で雨樋の一部を切除し、当該切除部分に取水継手を取り付けるとともに、ホースの一端を取水継手に取り付け、ホースの他端を貯水タンク２内に導入することにより、本発明の自動潅水式立体的植栽システムを雨水を有効活用するためのタンクとして利用することもできる。
【００３０】
貯水タンク２は、架台１の上部に設置される。貯水タンク２は、有底筒状である。円柱状でもよいが、好ましくは、図２に示すように上部及び下部の直径がそれぞれ次第に減少（テーパー状）した形状であることが望ましい。貯水タンク２の材質は特に限定されるものではないが、例えば、高分子量高密度ポリエチレンを主要な材質として用いることが望ましい。また、貯水タンク２の大きさも特に限定されるものではないが、例えば、最大容量２００ｌであれば、上述した災害時の雨水活用の際にも有利に用いることができて望ましい。
【００３１】
貯水タンク２の上部には円盤状の蓋１２が設けられている。蓋１２の中心部には後述する導水管７を挿通するための挿通口１３を備えている。また、蓋１２の任意の位置に給水口を設けることもできる。給水口は、例えば、貯水タンク２内に水を供給する際に利用される。
【００３２】
蓋１２は、所定の直径上の線を軸にして、蓋１２の略半分、即ち、半円盤状の一方を開閉可能に設けることが望ましい。これにより、近隣での火災時等、蓋１２の開放を迅速に行う必要がある際にも容易に行うことができる。さらに、蓋１２の下面には折り畳み式のバケツを設けておくことが望ましい。これにより、火災時の初期消火をさらに容易に行うことが可能となる。なお、ここで、「所定の直径上の線を軸にして、蓋の略半分、即ち、半円盤状の一方を開閉可能」とは、後述する回動環状部材２０が蓋１２の上面に載置される態様においては、蓋１２のうち、蓋１２の中心を中心とする回動環状部材２０の直径よりも小さな直径の円の部分の半分が開閉可能であるという意味をも含む。また、さらには、後述するソーラーパネル取付フレーム２３の優弧状の線状フレームが蓋１２の上面に載置される態様においては、蓋１２のうち、蓋１２の中心を中心とする当該優弧状の線状フレームの仮想的直径よりも小さな直径の円の部分の半分が開閉可能であるという意味をも含む。
【００３３】
蓋１２の上面外周に沿って、上方に立ち上がるリム部１５を設けることが望ましい。後述するように、リム部１５は、支持フレーム３を回動させる際に案内をする機能を有することができる。
【００３４】
図３は支持フレーム３の一例の平面図、図４は支持フレーム３の一例の正面図をそれぞれ示している。支持フレーム３は、貯水タンク２の周囲を覆うように、支持フレーム３の上部及び下部にはそれぞれ環状フレームが設けられており、上部外側環状フレーム１６及び下部環状フレーム１７の間には複数本の縦方向線状フレーム１８が設けられている。支持フレーム３は、例えば、貯水タンク２に被せるように貯水タンク２に載置される。また、支持フレーム３は、貯水タンク２の周囲を回動可能に設けられている。支持フレーム３を貯水タンク２の周囲を回動可能に設けたことから、支持フレーム３に取り付けられた植栽パネル４及び植栽パネル４に取り付けられた植栽ポット５も貯水タンク２の周囲を回動可能となり、方角による日当たりの良し悪しに影響されることなく、植栽ポット５に植えられた植物を均等に生育させることが可能となる。図３及び図４に示すように、支持フレーム３は線状の枠体であり、上部には上部外側環状フレーム１６、及び上部外側環状フレーム１６よりも直径の小さい上部内側環状フレーム１６’が、上部外側環状フレーム１６及び上部内側環状フレーム１６’の中心を中心として水平方向に放射状に延在する８本の短い線状の部材で接続されており、平面視において略２重の環状で、縦方向線状フレーム１８は、貯水タンク２の高さと略等しいかそれよりも小さい長さを有している。また、図４に示すように、好ましくは、縦方向線状フレーム１８には複数個のブレ止め部材１９を設けることが望ましい。これにより、支持フレーム３に取り付けられた植栽パネル４のブレを容易に防止することができる。
【００３５】
図３及び図４は、本発明の好ましい態様の支持フレーム３を示しており、支持フレーム３を貯水タンク２に取り付けた際に、貯水タンク２の上方に延出するように設けられた上部支持部材１４を備えている。支持フレーム３と上部支持部材１４は、一体的に設けてもよいし、別々に設けて適宜の帯状部材等で一体化させてもよい。上部支持部材１４にも支持フレーム３と同様、植栽パネル４’が取り付けられ、上部支持部材１４に取り付けられた植栽パネル４’にも複数の植栽ポット５’が取り付けられる。平面視において、支持フレーム３の上部外側環状フレーム１６及び下部環状フレーム１７の直径は、上部支持部材１４の直径よりも大きく設けられている。支持フレーム３の上部外側環状フレーム１６及び下部環状フレーム１７の直径が適度な大きさを有することによって、例えば、貯水タンク２の上部及び下部の直径が次第に減少する形状のように、貯水タンク２の外周の曲率が部位によって異なる場合でも、支持フレーム３を貯水タンク２の周囲を円滑に回動させることができる。また、上部支持部材１４の直径が比較的に小さく設けられていることによって、上部支持部材１４に植栽パネル４’及び植栽ポット５’を取り付けて当該部分に植物を植栽した場合には、本発明の自動潅水式立体的植栽システム上部の蓋１２、上部環状フレーム１６等の部材を隠すことが可能になるため花壇の美観を向上させることができる。
【００３６】
また、支持フレーム３には、好ましくは、回動環状部材２０が設けられている。回動環状部材２０は、上部内側環状フレーム１６’から下方に延出する複数本の線状部材２１によって、上部内側環状フレーム１６’の下方に位置するように支持されている。回動環状部材２０は、平面視において環状であり、直径は上部支持部材１４の直径よりも小さく、上部内側環状フレーム１６’の直径と等しく設けられている。回動環状部材２０は、蓋１２の上面に載置される。回動環状部材２０の直径は、リム部１５の直径よりも僅かに小さく設けられている。これによって、回動環状部材２０がリム部１５の内周に沿って摺動可能となり、支持フレーム３及び支持フレーム３に取り付けられた植栽パネル４並びに植栽ポット５が貯水タンク２の周囲を回動可能となる。また、好ましい態様において、支持フレーム３に上部支持部材１４が取り付けられている場合には、上部支持部材１４、上部支持部材１４に取り付けられた植栽パネル４’及び当該植栽パネル４’に取り付けられた植栽ポット５’も貯水タンク２の周囲を回動可能となる。
【００３７】
植栽パネル４は、図１に示すように縦方向及び横方向に複数の植栽ポット５が取り付けられるような構造を有している。植栽パネル４は特に限定されるものではなく市販のものを利用することも可能である。植栽パネル４は、支持フレーム３に取り付けられ、好ましくは上部支持部材１４にも取り付けられる。植栽パネル４の支持フレーム３及び上部支持部材１４への取付は、例えば、図５に示すように、樹脂製等の帯状部材２２等で行うことができる。植栽パネル４を予め貯水タンク２の周囲を覆うような環状形状として成形しておけば、植栽パネル４を支持フレーム３に単に吊り下げて取り付けることも可能である。
【００３８】
複数の植栽ポット５が植栽パネル４に取り付けられる。図１では、本発明の自動潅水式立体的植栽システムの構造を示すべく、植栽ポット５は植栽パネル４に部分的にしか取り付けていないが、好ましくは、植栽パネル４に取り付け可能な最大の数の植栽ポット５を取り付け、貯水タンク２が見えないようにすることが美観上望ましい。植栽ポット５には直接培地を入れ植栽を行ってもよいし、鉢に植栽された植物を当該鉢ごと植栽ポット５内に載置することもできる。
【００３９】
貯水タンク２の内部には水中ポンプ６が設置されている。水中ポンプ６は揚水ポンプであり、後述するバッテリ１０及びコントローラ１１と接続して作動し、貯水タンク２内の水を後述する導水管７及びノズル８を通して自動的に潅水を行う。
【００４０】
導水管７は、貯水タンク２内から延出して各植栽ポット５の上方付近の位置を通過するように設けられている。具体的には、例えば、導水管７は、貯水タンク２の中心部を上方に垂直に延出して、挿通口１３を通過すると、９０度（逆Ｌ字状に）曲がって蓋１２の上方を外周に向かって水平に延伸し、植栽パネル４の外周の各植栽ポット５の上方付近の位置を通過するように設けられている。図６は、導水管７の拡大図である。導水管７は、植栽パネル４の外周を略１周すると、下方向に９０度曲がり、１段下の植栽ポット５の上方付近を通過するべく、さらに９０度曲がって水平方向に植栽パネル４の外周を略１周するというように、導水管７は、各植栽ポット５の上方付近を通過するように設けられている。
【００４１】
導水管７の各植栽ポット５の上方付近を通過する部位には、植栽ポット５に潅水するべくノズル８が設けられている。ノズル８は、水中ポンプ６が作動して導水管７内に水が供給されると、ノズル８の吐出口から水を滴下する。
【００４２】
ソーラーパネル９は、太陽光を受光して発電する。ソーラーパネル９は任意の物を使用することができ、市販品も使用することができる。ソーラーパネル９は、好ましくは、貯水タンク２の上方に、例えば、ソーラーパネル取付フレーム２３を用いて取り付けることが望ましい。ソーラーパネル９を、貯水タンク２上部に設置することにより、ソーラーパネル９を設置するためのスペースを別途確保する必要がなくなる。また、貯水タンク２上部は比較的高い位置にあることから太陽光の受光を遮られる可能性が低く、良好な受光及び発電という観点からも望ましい。
【００４３】
図７は、ソーラーパネル取付フレーム２３を示している。図７のうち７Ａは、ソーラーパネル取付フレーム２３及びソーラーパネル取付金具の平面図を、７Ｂは、同じく正面図をそれぞれ示している。７Ｃ、７Ｄ、７Ｅ及び７Ｆは、ソーラーパネル取付金具を示している。ソーラーパネル取付フレーム２３の下部は、優弧状の線状フレームで構成され、当該優弧から立ち上がるコの字状の線状フレームが２本、所定の間隔を隔てて平行に設けられ、当該２本のコの字状の線状フレームの間で且つコの字状の線状フレームが優弧状の線状フレームに対して平行である位置に板状フレームが設けられている。当該板状フレームにソーラーパネル取付金具が取り付けられ、さらにソーラーパネル９が取り付けられる。
【００４４】
ソーラーパネル取付フレーム２３は、蓋１２の上面に載置される。そのため、支持フレーム３等を回動させた場合でもソーラーパネル取付フレーム２３は回動しない。その結果、ソーラーパネル９も回動しないため、支持フレーム３等を回動させてもソーラーパネル９を常に受光に最適な方角に向けておくことが可能となる。図７Ｃ乃至Ｅは、ソーラーパネル９の裏面側に取り付けられるソーラーパネル取付金具である。また、図７Ｆ等に示すソーラーパネル取付金具により、ソーラーパネル９の取付角度を調整することも可能である。
【００４５】
前記優弧状の線状フレームの仮想的な直径（当該優弧の両端を伸長させて円にした場合の直径）は、回動環状部材２０の直径よりも僅かに小さく設けられている。優弧状の線状フレームを円ではなく弧の形状にしたことによって、例えば、導水管７を、貯水タンク２の中心部を上方に垂直に延出して、挿通口１３を通過すると、９０度（逆Ｌ字状に）曲がって蓋１２の上方を外周に向かって水平に延伸し、植栽パネル４の外周の各植栽ポット５の上方付近の位置を通過するように設けた場合における導水管７の蓋１２の上方を外周に向かって水平に延伸する部位と、優弧状の線状フレームが干渉し合うことなく、ソーラーパネル取付フレーム２３を上方から蓋１２上面に載置することができる。このように、ソーラーパネル取付フレーム２３を構成した場合、ソーラーパネル取付フレーム２３を蓋１２から取り外すことも容易に行えるため、貯水タンク２内の水を初期消火に利用する場合等も迅速に消化活動を開始することができる。
【００４６】
水中ポンプ６及びソーラーパネル９は、バッテリ１０と接続している。バッテリ１０は、さらに後述するコントローラ１１とも接続している。バッテリ１０は、ソーラーパネル９で発電した電力を蓄電し、当該電力を用いて水中ポンプ６及びコントローラ１１を作動する。バッテリ１０は、好ましくは架台１の内部に設置される。
【００４７】
水中ポンプ６及びバッテリ１０は、コントローラ１１に接続している。コントローラ１１は、バッテリ１０の電力を利用して水中ポンプ６の作動を制御する。コントローラ１１は、好ましくは、架台１の内部に設置される。
【００４８】
図８は、第一の実施形態に係るコントローラ１１の正面図であり、図９は、第一の実施形態に係るコントローラ等の回路図である。第一実施形態では、コントローラ１１は１つのタイマー、具体的には例えば、春季に適するように調整され、１週間単位に設定されたタイマーに基づいて水中ポンプ６の作動を制御する。図８に示すように、コントローラ１１は、スイッチ操作で上述したタイマーに基づいて自動潅水、手動潅水及び停止を切り替えることができる。
【００４９】
図１０は、第二の実施形態に係るコントローラ１１’の正面図であり、図１１は、第二の実施形態に係るコントローラ等の回路図である。第二実施形態では、コントローラ１１’は４つのタイマー、具体的には例えば、春季に適するように調整された１週間単位の設定のタイマー、同じく夏季用、秋季用及び冬季用のタイマーに基づいて水中ポンプ６の作動を制御する。図１０に示すように、コントローラ１１’は、スイッチ操作で上述したタイマーに基づいて自動春季潅水、自動夏季潅水、自動秋季潅水、自動冬季潅水、手動潅水及び停止を切り替えることができる。第二実施形態によれば、四季の日昇、降雨量等の変動に合わせた緻密な自動潅水が可能となり、植栽された植物の良好な生育を可能にする。
【００５０】
本発明の自動潅水式立体的植栽システムには、図示していない湿度センサーを設けることも可能であり、望ましい。湿度センサーによって、直接又は間接的に植栽ポット５に入れられた培地中の湿度を検出し、当該検出した湿度に基づいてコントローラ１１の制御を行うことが望ましい。これにより、より一層きめ細やかな自動潅水の管理を行うことが可能となり、植栽された植物の生育を良好なものとすることができる。
【符号の説明】
【００５１】
１    架台
２    貯水タンク
３    支持フレーム
４    植栽パネル
５    植栽ポット
６    水中ポンプ
７    導水管
８    ノズル
９    ソーラーパネル
１０  バッテリ
１１  コントローラ
１２  蓋
１３  挿通口
１４  上部支持部材
１５  リム部
１６  上部外側環状フレーム
１６’上部内側環状フレーム
１７  下部環状フレーム
１８  縦方向線状フレーム
１９  ブレ止め部材
２０  回動環状部材
２１  線状部材
２２  帯状部材
２３  ソーラーパネル取付フレーム
【図１】
2018148840.tif 000003
【図２】
2018148840.tif 000004
【図３】
2018148840.tif 000005
【図４】
2018148840.tif 000006
【図５】
2018148840.tif 000007
【図６】
2018148840.tif 000008
【図７】
2018148840.tif 000009
【図８】
2018148840.tif 000010
【図９】
2018148840.tif 000011
【図１０】
2018148840.tif 000012
【図１１】
2018148840.tif 000013